(57)【要約】【課題】低コストかつコンパクトな構造で、電気機器収納用筐体を自立して支持する技術を提供すること。【解決手段】表面を電気機器収納用筐体１の取付面２とする板状の取付部材３を、平行に配置した２本の支柱４間に配置し、該取付部材３の背面には電気機器収納用筐体への配線を行う配線部１０を設けたので、低コストかつコンパクトな構造で、電気機器収納用筐体を自立して支持することができる。【選択図】図１
2013115082.tif 000002
【特許請求の範囲】
【請求項１】
前面を電気機器収納用筐体の取付面とする板状の取付部材を、平行に配置した２本の支柱間に配置し、該取付部材の背面には電気機器収納用筐体への配線を行う配線部を設けたことを特徴とする電気機器収納用筐体の支持体。
【請求項２】
２本の支柱間に渡した支持部材を介して取付部材を配置したことを特徴とする請求項１記載の電気機器収納用筐体の支持体。
【請求項３】
板状の取付部材と同一平面を形成するパネル部材を、平行に配置した２本の支柱間に配置したことを特徴とする請求項１または２記載の電気機器収納用筐体の支持体。
【請求項４】
配線部を被覆する背面板を備え、該２本の支柱間に渡した保持部材に、背面板を固定する背面板固定部を設けたことを特徴とする請求項１〜３の何れかに記載の電気機器収納用筐体の支持体。
【発明の詳細な説明】
【技術分野】
【０００１】
本発明は、電気機器収納用筐体の支持体に関するものである。
【背景技術】
【０００２】
屋外コンセントや車両用充電器等、一般家屋の屋外に設置される電気機器収納用筐体は、壁面に直接取り付けて使用するタイプのものが主流である（例えば、特許文献１）。壁面取り付け構造を採用することにより、一般家屋の屋外において、電気機器収納用筐体をコンパクトに設置することができる。
【０００３】
一方、特に既設家屋においては、所望の壁面箇所に筐体取付け用の孔を新たに設けることが困難であったり、外観デザインの観点から壁面設置を希望しないケースもあるが、このような場合には、電気機器収納用筐体を、扉体を有する自立式キャビネット型のものとして屋外に設置することも可能である。
【０００４】
しかし、扉体を有する自立式キャビネット型の電気機器収納用筐体は、コスト高になるとともに、大きな占有スペースを必要とするため、一般家屋の屋外に設置した場合、圧迫感があり家屋の美観を損なうといった問題があった。
【先行技術文献】
【特許文献】
【０００５】
【特許文献１】特開２０１０−９０５７９号公報
【発明の概要】
【発明が解決しようとする課題】
【０００６】
本発明の目的は前記の問題を解決し、低コストかつコンパクトな構造で、電気機器収納用筐体を自立して支持する技術を提供することである。
【課題を解決するための手段】
【０００７】
上記課題を解決するためになされた本発明の電気機器収納用筐体の支持体は、前面を電気機器収納用筐体の取付面とする板状の取付部材を、平行に配置した２本の支柱間に配置し、該取付部材の背面には電気機器収納用筐体への配線を行う配線部を設けたことを特徴とするものである。
【０００８】
請求項２記載の発明は、請求項１記載の電気機器収納用筐体の支持体において、２本の支柱間に渡した支持部材を介して取付部材を配置したことを特徴とするものである。
【０００９】
請求項３記載の発明は、請求項１または２記載の電気機器収納用筐体の支持体において、板状の取付部材と同一平面を形成するパネル部材を、平行に配置した２本の支柱間に配置したことを特徴とするものである。
【００１０】
請求項４記載の発明は、請求項１〜３の何れかに記載の電気機器収納用筐体の支持体において、配線部を被覆する背面板を備え、該２本の支柱間に渡した保持部材に、背面板を固定する背面板固定部を設けたことを特徴とするものである。
【発明の効果】
【００１１】
本発明に係る電気機器収納用筐体の支持体は、前面を電気機器収納用筐体の取付面とする板状の取付部材を、平行に配置した２本の支柱間に配置し、該取付部材の背面には電気機器収納用筐体への配線を行う配線部を設けて構成されているので、低コストかつコンパクトな構造で、電気機器収納用筐体を自立して支持することができる。
【図面の簡単な説明】
【００１２】
【図１】電気機器収納用筐体を取り付けた状態における電気機器収納用筐体の支持体の正面斜視図である。
【図２】電気機器収納用筐体を外した状態における電気機器収納用筐体の支持体の正面斜視図である。
【図３】背面側要部拡大図である。
【図４】取付部材の説明図である。（電気機器収納用筐体を取り外した状態）
【図５】２本の支柱間に渡した保持部材の説明図である。
【図６】図１の背面斜視図である。
【図７】図６に背面板を取りつけた状態図である。
【図８】電気機器収納用筐体の支持体の正面斜視図である。
【図９】背面板の取付け構造の説明図である。
【図１０】背面板の全体斜視図である。
【図１１】第１支持部材の全体斜視図である。
【図１２】保持部材の全体斜視図である。
【図１３】態様が異なる背面板の全体斜視図である。
【発明を実施するための形態】
【００１３】
以下に本発明の好ましい実施形態を示す。本実施形態における電気機器収納用筐体の支持体は、図１に示すように、前面を電気機器収納用筐体１の取付面２を有する板状の取付部材３を、平行に配置した２本の支柱４間に配置して構成されている。
【００１４】
支柱４は円筒形状の中空部材からなり、本実施形態では、１本の中空部材を略中央部で湾曲させて両支柱４を形成した構造を有している。なお、両支柱４は別個の中空部材の端部を湾曲させて形成してそれぞれを連結してもよい。支柱４の下端は、地中に埋め込んで設置することができる。また、図２に示すように、支柱４の下端に基礎部材５を設けて、基礎部材のアンカー孔で地面に固定することもできる。
【００１５】
図３に示すように、板状の取付部材３は、２本の支柱４間に渡した支持部材６（第１支持部材６１、第２支持部材６２）を介して配置されている。支持部材６は、溶接又はねじ止め等により、支柱４間に固定されている。なお、取付部材３は、端部を直接支柱４に溶接又はねじ止め等により固定したものであってもよい。
【００１６】
取付部材３は、強度の確保の観点から、端部を垂直方向に折り曲げ形成している。また図４に示すように、取付部材３の前面側には、電気機器収納用筐体１を取付部材３に取り付けるための取付孔７が形成されている。取付部材３の中央下方には、背面側から電線を挿通する挿通穴８が形成されている。挿通穴８の両面には、防水パッキン２２を取付けて防水を確保している。
【００１７】
図５に示すように、２本の支柱４間には保持部材１５が渡されていて、板状の取付部材３の下側に、該取付部材３と同一平面を形成し、外形が略同一のパネル部材９が保持部材１５を介して配置されている。パネル部材９は、板材で形成され、前面パネルの端部は垂直方向に折り曲げ形成されている。パネル部材９の前面には配線器具、屋外照明、インターホン等を設置することができる。なお、取付部材３とパネル部材９とを略同一形状としているため、設置環境に応じて順番を入れ替えることが可能である
【００１８】
取付部材３の背面には、図６に示すように、電気機器収納用筐体１への配線を行う箱形状の配線部１０を備えている。配線部１０は、下部に配線管１１を連結している。配線管１１は配線固定部１２で配線管１１に接続されている。配線管１１の内部には、電線等が挿通され、配線部１０の前側には、電線を引き出すための開口を形成している。
【００１９】
本実施形態の電気機器収納用筐体の支持体は、図７に示すように、配線部１０を含む電気機器収納用筐体の支持体の背面側を被覆する背面板１３を備えている。背面板１３は、中央部を湾曲させて取付部材３との間に内部空間を形成している。内部空間の大きさの異なる背面板１３を複数用意することにより、各種の設置環境に対応することができる。
【００２０】
前記のように、取付部材３とパネル部材９は、２本の支柱４間に渡した支持部材６及び保持部材１５を介して配置され、該支持部材６は、図８に示すように、取付部材３の上部を固定する第１支持部材６１と、取付部材３の下部を固定する第２支持部材６２とから構成されている。また保持部材１５は、パネル部材９の上端又は下端を支持している。
【００２１】
第１支持部材６１は、背面板１３の上部を固定する水平部１４を備え、第２支持部材６２には、配線部１０に対応する切欠１６が形成取されている。保持部材１５には、背面側に位置する電線の接続作業を前面側から行うための作業用切欠１７を形成するとともに、配線支持部材３０を固定するための孔部２１を形成している。
【００２２】
第１支持部材６１および第２支持部材６２の前面には、取付部材３を固定するためのねじ孔２０が形成されている。
【００２３】
保持部材１５は断面がクランク形状からなり、突出側（前面）を電気機器収納用筐体の支持体の前方に向けて支柱４に固定される。突出側（前面）の両端には、パネル部材９を固定するためのねじ孔１８が形成されている。ねじ孔１８の上部に奥行方向に延びる水平部１９が形成されている。パネル部材９の取り付け作業時には、該水平部１９とパネル部材９の上端部とを当接させて位置決めし、仮保持させることができる。なお、このときパネル部材９の下側は、下段に位置する別箇の保持部材１５の前面と当接する。
【００２４】
ねじ孔１８、２０は、何れも電気機器収納用筐体の支持体の前面側からねじ止め可能であるため、取付部材３やパネル部材９を取付ける時や交換する時に、電気機器収納用筐体の支持体の背面側に建物等の壁面がある場合でも、簡単に設置作業を行うことができ、建物壁面の直近に電気機器収納用筐体の支持体を設置することが可能である。
【００２５】
図９には、背面板１３の取付構造の説明図を示している。上記実施形態では、中央部を湾曲させて取付部材３との間に内部空間を形成した背面板１３を使用したが、背面板の形状は、図１０に示すように、上下両端に折り返し辺２５、２７を形成した箱形状のものとしてもよい。図１１には、第１支持部材６１の全体斜視図を示し、図１２には、保持部材１５の全体斜視図を示している。
【００２６】
図１０に示すように、背面板１３の上部折り返し辺２７は第１支持部材６１の水平部１４上部に重ねて載置され、上部折り返し辺２７に形成されたねじ孔２３と、第１支持部材６１に形成されたねじ孔２９とを重ねあわせて、上部折り返し辺２７の上面側からねじ止めすることができる。
【００２７】
背面板１３の下部には、保持部材１５と固定される固定部２４が形成されている。固定作業は、固定部２４に形成されたねじ孔２６と、保持部材１５の下端で左右に形成された背面板固定部２８と重ねあわせて、電気機器収納用筐体の支持体の前面側からねじ止めすることができる。なお、図１３に示すように固定部２４は背面板１３の端部を折曲形成した一体構造としてもよい。
【００２８】
なお、電気機器収納用筐体の内部に収納される電気機器は特に制限されず、例えば、近年急速に普及が進んでいる充電式車両への充電を行う車両用充電装置とすることもできる。例えば、一般家庭において、壁面設置型の車両用充電装置の設置を希望するものの、家屋の壁面に取り付けが困難な場合、本発明の支持体を使用することにより、任意の場所において簡易に車両用充電装置の設置を行うことができる。
【符号の説明】
【００２９】
１  電気機器収納用筐体
２  取付面
３  取付部材
４  支柱
５  基礎部材
６  支持部材
６１  第１支持部材
６２  第２支持部材
７  取付孔
８  挿通穴
９  パネル部材
１０  配線部
１１  配線管
１２  配線固定部
１３  背面板
１４  水平部
１５  保持部材
１６  切欠
１７  作業用切欠
１８  ねじ孔
１９  水平部
２０  ねじ孔
２１  孔部
２２  防水パッキン
２３  ねじ孔
２４  固定部
２５、２７  折り返し辺
２６  ねじ孔
２８  背面板固定部
２９  ねじ孔
【図１】
2013115082.tif 000003
【図２】
2013115082.tif 000004
【図３】
2013115082.tif 000005
【図４】
2013115082.tif 000006
【図５】
2013115082.tif 000007
【図６】
2013115082.tif 000008
【図７】
2013115082.tif 000009
【図８】
2013115082.tif 000010
【図９】
2013115082.tif 000011
【図１０】
2013115082.tif 000012
【図１１】
2013115082.tif 000013
【図１２】
2013115082.tif 000014
【図１３】
2013115082.tif 000015